(57)【要約】【課題】  把持部の両端に機能部を有する歯科用ハンドインスツルメントにおいて、何れの機能部を使用する場合でも、重心の位置を調節せずとも常に最適な重心位置で使用することが可能な歯科用ハンドインスツルメントを提供する。【解決手段】  両端に機能部（Ｃ，Ｃ）が設けられ且つ内部に空洞を有する把持部（Ａ）と、該空洞内に封入され重力により把持部(A)の長手方向を移動可能な錘部材（Ｂ）とから成る歯科用ハンドインスツルメントとする。【選択図】  図１
2006340754.tif 000002
【特許請求の範囲】
【請求項１】
両端に機能部(C,C)が設けられ且つ内部に空洞を有する把持部(A)と、該空洞内に納められ重力により把持部(A)の長手方向を移動可能な錘部材(B)とから成る歯科用ハンドインスツルメント。
【請求項２】
機能部(C,C)が、それぞれ独立して、筆，歯科用スケーラー，歯科用ワックス造形用インスツルメント，歯科用材料操作用インスツルメントから選ばれる１種または２種の形態である請求項１に記載の歯科用ハンドインスツルメント。
【請求項３】
機能部(C,C)が交換可能である請求項１または２に記載の歯科用ハンドインスツルメント。
【発明の詳細な説明】
【技術分野】
【０００１】
本発明は、歯科治療や歯科技工で用いられる歯科用筆，歯科用スケーラー，歯科用ワックス造形用インスツルメント，歯科用材料操作用インスツルメント等の歯科用ハンドインスツルメントに関する。
【背景技術】
【０００２】
一般に、手で使用するスティック状のインスツルメントの使用感はインスツルメントの重心の位置に影響される。インスツルメントには種々の重さのものがあり重心の位置も各々異なるため、使用者はそれぞれ好みの使用感を得るためにインスツルメントの外周に例えば粘土や鉛等の錘を付ける等して重心の位置を調節していた。このような煩雑さを解消するために、例えば、外装体内に螺旋関係に契合して前後動可能な錘部材を配置した筆記具や、軸筒内に錘体を摺動自在に配置して、その錘体を任意の位置に移動固定可能な錘体移動手段を軸筒に回転自在に配置し、その回転駆動手段の全部あるいは一部の外径を軸との外径とほぼ同等かあるいは大径とした重心位置可変式筆記具等（例えば、特許文献１,２参照）の技術を利用することも考えられる。
【０００３】
しかし、歯科用のハンドインスツルメントは、作業内容や適用箇所に応じてそれぞれ専用の形状をなすインスツルメントを数十種類も用意することを避けるために、把持部の両端に２種の異なる形態の機能部を設けているのが一般的である。従って、把持部の両端に機能部が二カ所存在するので、片方の機能部に合わせて重心を調整しても他方の機能部には合わず、どちらにも最適な状態にすることはできなかった。仮に先に述べたような従来の筆等で用いられていた重心移動機構を応用しても、好みの使用感が得られるよう重心の位置を調節するためには両手を用いる必要があるので、例えば片手で患者の唇等を押さえた状態で歯科用インスツルメントを使用する場合等が多い歯科医療ではその都度錘の位置を移動させる操作は大変面倒であった。
【０００４】
【特許文献１】特開2001-150864
【特許文献２】実開平5-053391
【発明の開示】
【発明が解決しようとする課題】
【０００５】
そこで本発明は、把持部の両端に機能部を有する歯科用ハンドインスツルメントにおいて、何れの機能部を使用する場合でも使用の度に重心の位置を調節せずとも常に最適な重心位置で使用することが可能な歯科用ハンドインスツルメントを提供することを課題とする。
【課題を解決するための手段】
【０００６】
本発明者等は前記課題を解決するために鋭意検討した結果、歯科用ハンドインスツルメントは、筆や歯科用ワックス造形用インスツルメントとして使用される機能部を常に下に向けて使用することに着目し、把持部内部に空洞を設けて錘を収納すれば、使用時に重力により錘が下方向に移動して常に使用する機能部に対して適切な重心を与えることが可能であることを見出して本発明を完成した。
【０００７】
即ち本発明は、両端に機能部が設けられ且つ内部に空洞を有する把持部と、該空洞内に納められ重力により把持部の長手方向を移動可能な錘部材とから成る歯科用ハンドインスツルメントであり、両端の機能部は、それぞれ独立して、筆，歯科用スケーラー，歯科用ワックス造形用インスツルメント，歯科用材料操作用インスツルメントから選ばれる１種または２種の形態を有していて、また、機能部が交換可能であることが好ましい。
【発明の効果】
【０００８】
本発明に係る歯科用ハンドインスツルメントは、両端の何れかの機能部を使用する場合でも、使用の度に重心の位置を調節せずとも常に最適な重心位置で使用することが可能な歯科用ハンドインスツルメントである。
【発明を実施するための最良の形態】
【０００９】
以下、図面を用い本発明に係る歯科用ハンドインスツルメントについて詳細に説明するが、本発明は実施例に限定されるものではない。
【００１０】
図中のAは、歯科用ハンドインスツルメントの本体であり両端に後述する機能部C,Cを有する把持部である。把持部Aはその内部に錘部材Bを把持部の長手方向に移動させ適切な重心位置を得ることができるように納めるための十分な大きさの空洞が設けられている。把持部Aの材質は特に限定されず、従来からの歯科用ハンドインスツルメントに使用されていた例えば強化樹脂やステンレス，チタン，アルミ等の合金が自由に使用可能である。
【００１１】
図中のBは、把持部Aの空洞内を重力により長手方向に移動して歯科用ハンドインスツルメントの重心位置を変えるための錘部材である。錘部材Bは歯科用ハンドインスツルメントの重心位置を変えるための重さがあり、把持部Aの空洞内を滑らかに移動できればその形状や材質は限定されない。材質としては、例えばステンレス，真鍮等の金属等が好ましく、更に移動時や移動の終了時の音を低減するためにシリコーン樹脂やポリプロピレン,ポリエチレン等の樹脂で覆われていることが好ましい。勿論、空洞壁の一部にこれらの材料を用いて錘部材Bの移動時や移動終了時の音を低減しても良い。
【００１２】
図中のCは、本発明に係る歯科用ハンドインスツルメントに、従来から歯科治療や歯科技工で行われている各種の操作に必要とされる機能を有する機能部である。機能部としては、例えば、筆積み用や硬質歯作製時等に使用する歯科用筆，スケーリングに使用する歯科用スケーラー，ワックス模型作製持に使用する歯科用ワックス造形用インスツルメント，セメント，コンポジットレジン，根幹充填材等の各種歯科用材料を歯の空洞内に充填，付形，トリミング等するための歯科用材料操作用インスツルメントとしての機能するための形態から任意に選択される。
【００１３】
本発明に係る歯科用ハンドインスツルメントにおいては、機能部C,Cはそれぞれ独立して機能することが可能であり、歯科用ハンドインスツルメントの両端の二カ所で同じ形態でも良いし異なっても良く、更に操作性を向上させるために交換可能であることが好ましい。特に機能部Cが歯科用筆である場合には筆先が消耗品であるために交換可能であることがより好ましい。機能部を交換可能とするための構造は従来からスクリュードライバ等で公知な嵌挿式ソケットや螺合等の構造が自由に使用できる。
【００１４】
図１では両端の径が漸次細く成形された筒状の把持部Aの内部が空洞となっており、該空洞に球状の錘部材Bが納められており、図２では内部に筒状の空洞が形成された把持部Aの該空洞に円筒状の錘部材Bが納められている。また、図１では両端の機能部C,Cが歯科用スケーラーの形態となっており、両端の機能部C,C共に嵌挿式ソケットによって交換が可能である。図２では上端の機能部Cが歯科用の筆の形態，下端の機能部Cが歯科用材料操作用インスツルメントの形態となっており図１と同様に嵌挿式ソケットによって交換が可能である。
【００１５】
本発明に係る歯科用ハンドインスツルメントは、更に微妙な重心位置の調整ができるように、図示しないが、錘部材Bの停止位置としてストッパーを与えることができる。これにより該ストッパーを使用前に両手で使用者の好みに合わせて微調整しておけば、使用時には自動的に錘部材Bが調整済みのストッパー位置で止まるので両端で異なる微調整が可能となる。
【図面の簡単な説明】
【００１６】
【図１】歯科用ハンドインスツルメントの一実施例を模式的に示す説明断面図。
【図２】歯科用ハンドインスツルメントの他の一実施例を模式的に示す説明断面図。
【符号の説明】
【００１７】
Ａ  把持部
Ｂ  錘部材
Ｃ  機能部
【図１】
2006340754.tif 000003
【図２】
2006340754.tif 000004